(57)【要約】【課題】清掃性及び取扱性を向上させながらも、収納家具後端に上下寸法の比較的に大きい立壁を見栄え良く設け得る収納家具装置及び収納家具後端の立壁構造を提供する。【解決手段】収納家具装置１は、収納家具本体１０と、前記収納家具本体の上部に配設され、後端部に上方に向けて立ち上がる立上部２５を一体的に設けた天板２０と、前記天板と同材料からなり、該天板の立上部と略同厚さとされ、該立上部の上端面２５ａに下端面２８ａを一致させるように当接させて接合される立壁板２８と、前記天板の立上部と前記立壁板との接合部２９に跨るように、これらの後面に固定される補強板３０と、を備えている。【選択図】図１
2014054412.tif 000002
【特許請求の範囲】
【請求項１】
収納家具本体と、
前記収納家具本体の上部に配設され、後端部に上方に向けて立ち上がる立上部を一体的に設けた天板と、
前記天板と同材料からなり、該天板の立上部と略同厚さとされ、該立上部の上端面に下端面を一致させるように当接させて接合される立壁板と、
前記天板の立上部と前記立壁板との接合部に跨るように、これらの後面に固定される補強板と、
を備えていることを特徴とする収納家具装置。
【請求項２】
請求項１において、
前記立壁板の前面側に配設される設備器具への配線及び配管の両方または一方の収容空間を形成するように、互いに間隔を空けて略平行に前記補強板の後面に固定される複数本の桟材を更に備えていることを特徴とする収納家具装置。
【請求項３】
請求項２において、
前記立壁板の前面側に露出するように配設される差込接続器及び電気機器の両方または一方を更に備えていることを特徴とする収納家具装置。
【請求項４】
請求項２または３において、
前記天板に配設される水槽と、該水槽の後方側の前記立壁板から前方に突出するように配設される水栓金具と、を更に備えていることを特徴とする収納家具装置。
【請求項５】
収納家具本体の上部に配設される天板の後端部に上方に向けて立ち上がる立上部を一体的に設け、該天板と同材料からなり、該天板の立上部と略同厚さとされた立壁板の下端面を前記立上部の上端面に一致させるように当接させて接合し、これら天板の立上部と立壁板との接合部に跨るように、これらの後面に補強板を固定した構造とされていることを特徴とする収納家具後端の立壁構造。
【発明の詳細な説明】
【技術分野】
【０００１】
本発明は、天板を備えた収納家具装置及び収納家具後端の立壁構造に関する。
【背景技術】
【０００２】
従来より、キッチン等に設置される厨房家具や、洗面室等に設置される洗面台家具などの収納家具の天板（カウンター）の後端に、防汚や防火等の種々の観点から上方に延びるように立壁を設けた構造が知られている。このような立壁構造は、従来、天板後端部の上面に載置するように立壁部材を設けたり、天板後端面に立壁部材を当接させて設けたりする構造とされており、天板と立壁部材との接合部（入隅部）に、汚れが溜まり易く、また、汚れを除去し難いという問題があった。また、天板の後端部に一体的に上方に延びるように上下寸法の大きい立壁を設けることも考えられるが、製造効率が低下したり、保管や運搬時における取り扱いがし難く、破損等し易くなったりすることも考えられる。
例えば、下記特許文献１には、調理台の上面に備えられたカウンターにおける壁側の端部に、水返し部を一体に設け、この水返し部の上方にコーキング材を介してバックガードを設けた防水構造が開示されている。
【先行技術文献】
【特許文献】
【０００３】
【特許文献１】実開平７−２８４４１号公報
【発明の概要】
【発明が解決しようとする課題】
【０００４】
しかしながら、上記特許文献１に開示された防水構造は、カウンターの水返し部とバックガードとの間隙にコーキング材を施した構造であるため、見栄えが悪くなるという問題があった。
【０００５】
本発明は、上記実情に鑑みてなされたものであり、清掃性及び取扱性を向上させながらも、収納家具後端に上下寸法の比較的に大きい立壁を見栄え良く設け得る収納家具装置及び収納家具後端の立壁構造を提供することを目的としている。
【課題を解決するための手段】
【０００６】
上記目的を達成するために、本発明に係る収納家具装置は、収納家具本体と、前記収納家具本体の上部に配設され、後端部に上方に向けて立ち上がる立上部を一体的に設けた天板と、前記天板と同材料からなり、該天板の立上部と略同厚さとされ、該立上部の上端面に下端面を一致させるように当接させて接合される立壁板と、前記天板の立上部と前記立壁板との接合部に跨るように、これらの後面に固定される補強板と、を備えていることを特徴とする。
【０００７】
本発明においては、前記立壁板の前面側に配設される設備器具への配線及び配管の両方または一方の収容空間を形成するように、互いに間隔を空けて略平行に前記補強板の後面に固定される複数本の桟材を更に備えたものとしてもよい。
また、本発明においては、前記立壁板の前面側に露出するように配設される差込接続器及び電気機器の両方または一方を更に備えたものとしてもよい。
また、本発明においては、前記天板に配設される水槽と、該水槽の後方側の前記立壁板から前方に突出するように配設される水栓金具と、を更に備えたものとしてもよい。
【０００８】
また、上記目的を達成するために、本発明に係る収納家具後端の立壁構造は、収納家具本体の上部に配設される天板の後端部に上方に向けて立ち上がる立上部を一体的に設け、該天板と同材料からなり、該天板の立上部と略同厚さとされた立壁板の下端面を前記立上部の上端面に一致させるように当接させて接合し、これら天板の立上部と立壁板との接合部に跨るように、これらの後面に補強板を固定した構造とされていることを特徴とする。
【発明の効果】
【０００９】
本発明に係る収納家具装置及び収納家具後端の立壁構造は、上述のような構成としたことで、清掃性及び取扱性を向上させながらも、収納家具後端に上下寸法の比較的に大きい立壁を見栄え良く設けることができる。
【図面の簡単な説明】
【００１０】
【図１】本発明の一実施形態に係る収納家具装置及び収納家具後端の立壁構造の一例を模式的に示し、図３におけるＸ−Ｘ線矢視に対応させた一部省略概略縦断面図である。
【図２】図１におけるＹ部に対応させた一部を省略した一部破断概略拡大縦断面図である。
【図３】同収納家具装置の概略斜視図である。
【図４】本発明の他の実施形態に係る収納家具装置及び収納家具後端の立壁構造の一例を模式的に示し、図１に対応させた一部省略概略縦断面図である。
【発明を実施するための形態】
【００１１】
以下に本発明の実施の形態について、図面に基づいて説明する。
なお、一部の図では、他図に付している詳細な符号の一部を省略している。
また、以下の各実施形態では、収納家具装置の収納家具本体の収納物を出し入れする側において該収納家具装置に対面した状態を基準として、手前側を前方、その逆側を後方とし、また、その状態を基準として、上下方向及び左右方向等の方向を原則的に説明する。
図１〜図３は、第１実施形態に係る収納家具装置及び収納家具後端の立壁構造の一例を模式的に示す図である。
【００１２】
本実施形態に係る収納家具装置１は、図１に示すように、収納家具本体１０と、この収納家具本体１０の上部に配設される天板（カウンター）２０と、を備えている。本実施形態では、収納家具装置として、厨房家具装置１を例示している。
また、本実施形態では、厨房家具装置１は、図３に示すように、横並び状に配設される複数の収納家具本体１０，１０Ａ，１０Ｂを備え、これらの上面側を一枚の天板２０によって覆う構成とされている。この天板２０には、水槽（シンク、ボウル）２及び加熱機器としてのコンロ３が組み込まれている。
【００１３】
本実施形態では、これら複数の収納家具本体１０，１０Ａ，１０Ｂのうちの収納家具本体１０を、その上面側部位の水槽２を組み込んだ天板２０とともに、流し台を構成する流し台部本体１０としている。また、収納家具本体１０Ａを、その上面側部位のコンロ５を組み込んだ天板２０とともに、コンロ付調理台を構成するコンロ部本体１０Ａとしている。また、収納家具本体１０Ｂを、その上面側部位の天板２０とともに、作業台を構成する作業台部本体１０Ｂとしている。
【００１４】
流し台部本体１０は、図１に示すように、左右の側板１１（図１では、一方の側板のみを図示している。）、背板１２及び底板１３を有し、その上面側に天板２０が載置されて閉塞されて、前方に開口する箱状とされた収納箱体を備えている。図例では、配管や配線等の引き回し空間を形成するように、底板１３を、前側部位のみに設け、上下に分割された上側の背板１２を側板１１の後端部に接合し、下側の背板１２を底板１３の後端部に接合した例を示している。なお、上側の背板１２の下端部と下側の背板１２の上端部とを連結するように、蓋部材等を設けるようにしてもよい。または、下側の背板１２を設けないようにしてもよく、さらには、このように背板１２を上下に分割せずに、側板１１の上下寸法に応じた上下寸法の背板１２を設けるようにしてもよい。
【００１５】
また、流し台部本体１０は、この収納箱体の前方開口を覆う上下に複数段（図例では、三段）の前板１４ａ，１５ａ，１６を備えている。
図例では、下段及び中段の前板１４ａ，１５ａを、流し台部本体１０の収納箱体に対して出し入れ自在とされた下段及び中段の抽斗１４，１５の前板１４ａ，１５ａとしている。これら抽斗１４，１５は、左右の側板１１の互いに向き合う各内側面に設けられたレール部材によって出し入れ自在に支持されている。
また、図例では、上段の前板１６を、その後方側の内方空間が水槽２の収容空間となるため、開閉不能に収納箱体に固定した例を示している。なお、このような態様に代えて、下端部を回動支点として手前側等に開放され、包丁や俎板等の収納を可能とした薄型状の開き収納の前板１６としてもよい。
【００１６】
なお、図１では、図示を省略しているが、各前板１４ａ，１５ａ，１６の適所には、把手が設けられている。このような把手としては、図３に示すように、前方に開口する縦断面略コ字状（略Ｕ字状または略Ｃ字状）で、左右方向の全幅に亘ってライン状とされた把手を、上段の前板１６及び中段の前板１５ａの各上端部に設けるようにしてもよい。
また、この流し台部本体１０の前面下端部には、蹴込み空間が形成されており、この蹴込み空間を形成するように、流し台部本体１０の収納箱体の左右の側板１１の前端部下端には、蹴込み用切欠状部が形成されている。下段の前板１４ａは、該蹴込み用切欠状部に対応させて、その下端側に後方側に後退した後退前板部１４ｂを備えており、この後退前板部１４ｂの上方側の前板１４ａの後方側を、手掛けスペースとしてもよい。
【００１７】
コンロ部本体１０Ａは、図３に示すように、上記した流し台部本体１０と略同様の収納箱体並びに下段及び中段の抽斗１４，１５を備えている。また、コンロ部本体１０Ａは、その上段部に、グリル１７と、収納箱体に対して出し入れ自在とされ、前板１８ａを有した小抽斗１８と、を備えている。この小抽斗１８は、プッシュオープン式の抽斗としてもよく、前板１８ａの適所に把手等を設けた態様としてもよい。
作業台部本体１０Ｂは、図３に示すように、上記した流し台部本体１０と略同様の収納箱体並びに下段及び中段の抽斗１４，１５を備えている。また、作業台部本体１０Ｂは、その上段部に、収納箱体に対して出し入れ自在とされ、前板１９ａを有した上段抽斗１９を備えている。この上段抽斗１９の前板１９ａの上端部には、上記同様の把手が設けられている。
これら収納家具本体１０，１０Ａ，１０Ｂは、隣り合う側板同士を当接させ、横並び状に設置される。
なお、これら収納家具本体１０，１０Ａ，１０Ｂの収納は、上記したような抽斗に限られず、開き収納等としてもよい。
【００１８】
天板２０は、平面視して略矩形状とされている。この天板２０は、上記のように横並び状に配設される複数の収納家具本体１０，１０Ａ，１０Ｂの上面側の略全体を覆うように、左右に長尺状で略水平状に配設される天板本体部２１を備えている。
この天板本体部２１には、図１及び図３に示すように、水槽２及びコンロ３のそれぞれに応じた開口２２，２３が左右方向に間隔を空けて設けられている。図例では、水槽２を、天板２０の開口２２の開口周縁の下面に、水槽２の上端部のフランジ状部を当接させて接合した例を示しているが、水槽２と天板２０との接合構造は、このような態様に限られない。例えば、天板２０の開口２２の開口周縁の上面に、水槽２の上端部のフランジ状部を載置するように接合したり、開口２２の内周面に水槽２の上端外周面を対向配置して接合したりする構造としてもよい。さらには、水槽２を天板２０に一体的に形成した態様としてもよい。
【００１９】
また、天板本体部２１における水槽２の後方側には、水槽２に臨む水栓金具６が立ち上がるように設けられている。なお、この水栓金具６は、水槽２の後端部に設けるようにしてもよい。
また、天板本体部２１の下面側には、裏打ち材２６や桟材２７が固定されている。図例では、天板本体部２１の下面側の四周端部に沿って枠状に桟材２７を設け、水槽２の後方側と後端部の桟材２７との間に平板状の裏打ち材２６を設けた例を示している。
【００２０】
また、天板本体部２１の前端部には、下方に向けて垂れ下がるように前垂れ部２４が設けられている。この前垂れ部２４は、図３に示すように、天板本体部２１の左右方向の全長に亘って一体的に設けられている。また、この前垂れ部２４は、前端部の桟材２７を覆い隠すように設けられている。また、図例では、この前垂れ部２４を含み、天板本体部２１の前端部の厚さ寸法を他の部位よりも僅かに厚くし、天板本体部２１の前端部上面に堰部を設けた例を示している。
【００２１】
また、天板本体部２１の後端部には、上方に向けて立ち上がるように立上部２５が設けられている。この立上部２５は、図３に示すように、天板本体部２１の左右方向の全長に亘って一体的に設けられている。
また、本実施形態では、図２に示すように、天板本体部２１と立上部２５との入隅部を、凹湾曲面形状としている。このように天板本体部２１と立上部２５との入隅部を凹湾曲面形状とすることで、例えば、直角状の入隅部とした場合と比べて、清掃性を極めて向上させることができる。
【００２２】
この天板２０は、合成樹脂や充填材等を含有した成形用樹脂組成物を硬化させて形成された人造大理石からなる。このような人造大理石を構成する合成樹脂としては、アクリル樹脂や、ビニルエステル樹脂、不飽和ポリエステル樹脂等を採用するようにしてもよい。また、充填材としては、水酸化アルミニウムやシリカ等を採用するようにしてもよい。その他、種々の着色材や柄材等を含有したものとしてもよい。なお、天板２０は、人造大理石からなるものに限られず、他の合成樹脂系材料を主材とする成形用樹脂組成物を硬化させて形成されたもの等としてもよい。
また、この天板２０の厚さ寸法は、５ｍｍ〜１５ｍｍ程度としてもよく、本実施形態では、天板本体部２１の前端部以外の部位及び立上部２５の厚さ寸法を略同寸法とし、これらの厚さ寸法を、略８ｍｍとしている。
また、天板２０は、図１及び図２に示すように、各収納家具本体１０，１０Ａ，１０Ｂの上面（側板１１の上端面）に桟材２７を当接させて配設するようにしてもよい。
【００２３】
また、厨房家具装置１は、天板２０と同材料からなり、天板２０の立上部２５と略同厚さとされた立壁板２８を備えている。
この立壁板２８は、図２に示すように、立上部２５の上端面２５ａに下端面２８ａを一致させるように当接させて接着剤にて接合される。この接着剤としては、人造大理石同士を隙間なく接合する接着剤を採用するようにしてもよく、例えば、アクリル系接着剤や、エポキシ系接着剤等を採用するようにしてもよい。なお、立壁板２８と立上部２５とを、接着剤によって接合する態様に限られず、溶接や熱圧着等によって接合するようにしてもよい。
この立壁板２８の左右寸法は、天板２０の左右寸法と略同寸法とされている。
この立壁板２８の上下寸法は、この立壁板２８の上端が、当該厨房家具装置１の上方側に配設される吊戸棚下面や、天井面に略至るような上下寸法としてもよい。本実施形態では、立壁板２８の上下寸法をこのような上下寸法とせずに、厨房家具装置１の後端部に載置台状の立壁部を設け、この立壁部の前面を、立壁板２８及び立上部２５によって構成している。
【００２４】
上記した立上部２５の天板本体部２１からの立上寸法（上下寸法）は、１０ｍｍ〜１５０ｍｍ程度、好ましくは、３０ｍｍ〜１００ｍｍ程度としてもよい。この立上部２５の上下寸法が、余りにも小さければ、立壁板２８との接合部２９が天板本体部２１の上面に近接し、接着剤にて接合する際に接合性が悪くなったり、接合部２９の表面仕上げ処理がし難くなったりする傾向がある。一方、この立上部２５の上下寸法が、余りにも大きければ、保管や運搬時における取扱性等が悪くなる傾向がある。
また、天板本体部２１の上面から立壁板２８の上端までの上下寸法は、２００ｍｍ以上としてもよい。
【００２５】
本実施形態では、厨房家具装置１の後端部に、３００ｍｍ程度の上下寸法の立壁部が形成されるように、立上部２５や立壁板２８の上下寸法を設定している。図例では、立上部２５の上下寸法を、６０ｍｍ程度とし、立壁板２８の上下寸法を、２３０ｍｍ程度とした例を示している。
このような立壁部を厨房家具装置１の後端部に設けた態様とすることで、当該厨房家具装置１をダイニングやリビング等に対面して設置した場合には、天板本体部２１の上面に載置された種々の物品等や、手元を対面側から隠すことができ、すっきりとした印象を与えることができる。また、立壁部を上記程度の上下寸法とすることで、キッチン側スペースと対面側のダイニングやリビング等のスペースとが立壁部によって大きく遮られるようなことがなく、当該厨房家具装置１の手前に立つ使用者から対面側を見渡すことができる。
なお、立壁部の上下寸法は、３００ｍｍ程度に限られず、２００ｍｍ〜５００ｍｍ程度、好ましくは、２００ｍｍ〜４００ｍｍ程度としても上記同様の効果を奏する。
【００２６】
また、厨房家具装置１は、この立壁板２８と天板２０の立上部２５との接合部２９に跨るように、これらの後面に固定される補強板３０を備えている。本実施形態に係る収納家具後端の立壁構造は、図１及び図２に示すように、収納家具本体１０，１０Ａ，１０Ｂの上部に配設した天板２０の立上部２５の上端面２５ａに、立壁板２８の下端面２８ａを一致させるように当接させて接着剤にて接合し、これら天板２０の立上部２５と立壁板２８との接合部２９に跨るように、これらの後面に補強板３０を固定した構造とされている。
【００２７】
補強板３０は、略矩形平板状とされており、木質系材料や合成樹脂系材料等から形成されている。本実施形態では、立上部２５及び立壁板２８の後面の略全面に亘って補強板３０を固定した例を示している。また、図例では、補強板３０の上端面を立壁板２８の上端面と略同一平面状とし、その下端部を、天板２０の立上部２５の下端よりも下方側に延在させ、各収納家具本体１０，１０Ａ，１０Ｂの上面（側板１１の上端面）に当接させた例を示している。
なお、補強板３０は、単一のものとしてもよく、または、左右に複数枚からなるものとしてもよい。
また、この補強板３０の立上部２５及び立壁板２８の後面への固定態様としては、接着剤や粘着材等によって固定するようにしてもよい。
【００２８】
本実施形態に係る収納家具後端の立壁構造は、例えば、以下のようにして組み付けるようにしてもよい。
まず、下面側に裏打ち材２６や桟材２７が固定され、水槽２が組み込まれた天板２０を、収納家具本体１０，１０Ａ，１０Ｂの上部に配設する。次いで、補強板３０の下端を収納家具本体１０，１０Ａ，１０Ｂの上面に当接させ、天板２０の立上部２５の後面に固定する。次いで、立壁板２８の下端面２８ａを、天板２０の立上部２５の上端面２５ａに一致させるように当接させて接着剤にて接合し、また、立壁板２８の後面を補強板３０の前面に当接させて固定するようにしてもよい。または、立壁板２８の下端面２８ａを、天板２０の立上部２５の上端面２５ａに一致させるように当接させて接着剤にて接合し、これら立上部２５及び立壁板２８の後面に補強板３０を固定するようにしてもよい。
【００２９】
また、このように立上部２５と立壁板２８とを接合した後に、立上部２５と立壁板２８との接合部２９の前面側を、研磨紙や研磨布紙等の研磨シート材や、サンダー等の工具によって研磨し、平滑化処理するようにしてもよい。
このように接合部２９の前面側を研磨して平滑化処理を施すことで、天板２０の立上部２５と立壁板２８とが同材料からなることも相俟って、これらの接合部２９を目立ち難くすることができ、図３に示すように、継目を略見えないようにすることもできる。
【００３０】
また、本実施形態では、厨房家具装置１は、互いに間隔を空けて略平行に補強板３０の後面に固定される複数本の桟材３１，３１を備えている。これら桟材３１，３１は、立壁板２８の前面側に配設される設備器具７，８への配線及び配管の両方または一方の収容空間３２を形成するように、補強板３０の後面に固定される。本実施形態では、これら桟材３１，３１を、長手方向を左右方向に沿わせた横桟３１，３１としている。また、本実施形態では、これら横桟３１，３１を、これら横桟３１，３１間に収容空間３２が形成されるように、上下に間隔を空けて補強板３０の後面に固定している。図例では、二本の横桟３１，３１のうちの上側の横桟３１を、補強板３０の上端部に固定し、下側の横桟３１を、補強板３０の下端部に固定した例を示している。なお、収容空間３２を形成する桟材としては、このような横桟３１，３１に限られず、左右に間隔を空けて補強板３０の後面に固定される複数本の縦桟としてもよい。
【００３１】
また、本実施形態では、厨房家具装置１は、収容空間３２の後方側を覆うように、これら横桟３１，３１の後面側に固定される第１後板３３を備えている。図例では、この第１後板３３の上端部を上側の横桟３１に固定し、その下端部を下側の横桟３１に固定した例を示している。
また、本実施形態では、厨房家具装置１は、各収納家具本体１０，１０Ａ，１０Ｂ及び第１後板３３の後方側を覆う第２後板３６を備えている。この第２後板３６は、当該厨房家具装置１が、ダイニングやリビング等に対面して設置される場合には、対面側（後面側）が化粧面とされた化粧板としてもよい。
この第２後板３６は、立壁板２８の上端から収納家具本体１０，１０Ａ，１０Ｂの下端に略至る上下寸法とされ、また、左右寸法が天板２０の左右寸法と略同寸法とされている。
また、図例では、この第２後板３６を、複数の縦桟（スペーサー）３４，３５を介して第１後板３３及び収納家具本体１０，１０Ａ，１０Ｂの後面（側板１１の後端面）に固定した例を示している。
【００３２】
また、本実施形態では、厨房家具装置１は、その左右両側に、エンドパネル（サイドパネル）５，５を備えている。これらエンドパネル５，５は、立壁板２８の上端から収納家具本体１０，１０Ａ，１０Ｂの下端に略至る上下寸法とされている。また、これらエンドパネル５，５は、各前端部が各収納家具本体１０，１０Ａ，１０Ｂの前面から僅かに突出するように、第２後板３６の後面（化粧面）から各収納家具本体１０，１０Ａ，１０Ｂの前面までの寸法よりも僅かに大きい前後寸法とされている。
また、本実施形態では、厨房家具装置１は、立上部２５及び立壁板２８並びに後板（第２後板）３６によって前後両面が構成された立壁部の上方側を覆う笠木状の横板体３７を備えている。
この横板体３７は、左右方向に長尺の略帯板状とされており、図３に示すように、その左右両端部（長手方向両端部）をエンドパネル５，５の上端面後部に載置するように配設される。また、この横板体３７は、図１に示すように、前端部及び後端部が立壁板２８の前面及び第２後板３６の後面から突出するように形成されている。
【００３３】
なお、当該厨房家具装置１を、いわゆるアイランド的に設置せずに、左右側部の一方を壁に当接させて壁付け設置する場合には、一方のエンドパネル５を設けないようにしてもよい。
また、当該厨房家具装置１の後面を、上記のような第２後板３６によって構成した態様に代えて、当該厨房家具装置１がダイニングやリビング等に対面して設置される場合には、当該厨房家具装置１の後面側に、対面側に開口する薄型収納を設けるようにしてもよい。この場合、該開口を開閉する開き戸や引戸等を設けるようにしてもよい。また、当該厨房装置１を、ダイニングやリビング等に対面して設置せずに、その後面側を壁に当接させて壁付け設置する場合には、上記した第２後板３６等を設けないようにしてもよい。
【００３４】
また、本実施形態では、厨房家具装置１は、図３に示すように、立壁板２８の前面側に露出するように配設される設備器具としての差込接続器（コンセント）７及び電気機器８を備えている。
差込接続器７は、図例では、作業台部本体１０Ｂの後端部上方側の立壁板２８に設けられている。このような差込接続器７を作業台上面の後方側に設けた態様とすることで、作業台上面に載置等されて使用される電子調理器等の電気機器の電源コードを接続することができる。
この差込接続器７は、立壁板２８及び補強板３０に開口を設け、組み込むようにしてもよい。また、この差込接続器７の配線は、収容空間３２を介して床や壁等から引き回すようにしてもよい。
【００３５】
電気機器８は、本実施形態では、照明器具８を例示している。この照明器具８は、図３に示すように、左右方向に沿って長尺のライン照明とされており、図例では、立壁板２８の左右方向の寸法と略同長さとされている。
また、本実施形態では、図１に示すように、この照明器具８を、横板体３７の前端部と立壁板２８の上端部との入隅部に設置した例を示している。なお、図１では、照明器具８を断面図とせずに、側面図として図示している。
また、この照明器具８の前面側下側部位を、下方側に向く傾斜面とし、天板本体部２１の上面を照射するように発光部９を設けた例を示している。このような照明器具８を設けた態様とすることで、作業台上面や水槽２の手元を照らすことができる。
【００３６】
この発光部９の光源としては、長尺の蛍光管としてもよく、ＬＥＤ（発光ダイオード）等としてもよい。
この照明器具８への配線は、上記同様、収容空間３２を介して床や壁等から引き回すようにしてもよい。
なお、照明器具８の発光部９を、立壁板２８の左右方向の略全長に亘って設けずに、例えば、作業台及び流し台の両方または一方のみの上面側を照らすように設けるようにしてもよい。または、照明器具８自体の長さ寸法を、作業台及び流し台の両方または一方のみの幅寸法（左右寸法）に応じた寸法としてもよい。
【００３７】
本実施形態に係る収納家具装置（厨房家具装置）１及び収納家具後端の立壁構造は、上述のような構成としたことで、清掃性及び取扱性を向上させながらも、収納家具後端に上下寸法の比較的に大きい立壁を見栄え良く設けることができる。
つまり、収納家具本体１０，１０Ａ，１０Ｂの上部に配設される天板２０の後端部に上方に向けて立ち上がる立上部２５を一体的に設けている。従って、例えば、天板後端部の上面に載置するように立壁部材を設けたり、天板後端面に立壁部材を当接させて設けたりする構造とした場合と比べて、天板上面と立壁前面との入隅部に汚れ等が溜まり難く、また、清掃性を向上させることができる。
【００３８】
また、この天板２０の立上部２５と略同厚さとされ、立上部２５の上端面２５ａに下端面２８ａを一致させるように当接させて接着剤にて接合される立壁板２８を備えている。従って、この立壁板２８の下端面２８ａを、天板２０の立上部２５の上端面２５ａに一致させるように当接させて接着剤にて接合して収納家具後端の立壁構造を構成することができる。これにより、例えば、天板の後端部に一体的に上方に延びるように上下寸法の大きい立壁を設けた構造とした場合と比べて、取扱性を向上させることが可能でありながらも、上下寸法の比較的に大きい立壁を収納家具後端に設けることができる。また、この立壁板２８は、立上部２５の上端面２５ａに下端面２８ａを一致させるように当接させて接着剤にて接合されるため、立壁板２８と立上部２５との接合部２９を目立ち難くすることができ、例えば、これらの間にコーキング材を施したようなものと比べて、見栄えを向上させることができる。また、この立壁板２８を、人造大理石からなる天板２０と同材料からなるものとしているので、例えば、不燃材等の比較的に脆弱な板材によって収納家具後端の立壁を構成した場合と比べて、立壁の強度を向上させることができる。また、天板（天板本体部２１）の上面並びに立壁の前面を構成する立上部２５及び立壁板２８の前面が、同一の外観を呈し、見栄えをより向上させることができる。
【００３９】
また、天板２０の立上部２５と立壁板２８との接合部２９に跨るように、これらの後面に固定される補強板３０を備えている。従って、これら天板２０の立上部２５と立壁板２８との接合部２９に跨るように、これらの後面に補強板３０を固定して収納家具後端の立壁構造を構成することができる。これにより、これら立上部２５及び立壁板２８を補強することができ、これらを効率的に薄くすることもできる。
【００４０】
また、立壁板２８を人造大理石からなるものとし、後面に補強板３０が固定されるので、収納家具後端の立壁の強度を向上させることができ、種々の設備器具７，８を立壁板２８の前面側に配設することができる。
また、本実施形態では、このような設備器具７，８への配線及び配管の両方または一方の収容空間３２を形成するように、互いに間隔を空けて略平行に補強板３０の後面に固定される複数本の横桟（桟材）３１，３１を設けている。従って、これら桟材３１，３１の間の収容空間３２に、設備器具７，８への配線及び配管の両方または一方を収容させることができる。
本実施形態のように、立壁板２８の前面側に露出するように差込接続器７及び照明器具８を配設した場合には、これらへの配線を、複数本の桟材３１，３１の間の収容空間３２に収容させることができる。
【００４１】
なお、本実施形態では、立壁板２８の前面側に露出するように配設される電気機器として照明器具８を例示したが、これに代えて、または、加えて、イオン発生器や脱臭器、送風器等の他の電気機器を備えたものとしてもよい。
また、本実施形態では、立壁板２８の前面側に露出するように配設される差込接続器７及び照明器具（電気機器）８の両方を備えたものとした例を示しているが、これらのうちの一方のみを備えたものとしてもよい。
【００４２】
次に、本発明の他の実施形態に係る収納家具装置及び収納家具後端の立壁構造の一例について図４を参照して説明する。
なお、第１実施形態との相違点について主に説明し、同様の構成については、同一符号を付し、その説明を省略または簡略に説明する。
【００４３】
図４は、第２実施形態に係る収納家具装置及び収納家具後端の立壁構造の一例を模式的に示す図である。
本実施形態においても、収納家具装置を厨房家具装置１Ａとした例を示している。
本実施形態では、厨房家具装置１Ａは、水槽２の後方側の立壁板２８Ａから前方に突出するように配設される設備器具としての水栓金具６Ａを備えた構成としている。つまり、本実施形態では、水栓金具６Ａを、天板本体部２１の上面ではなく、水槽２に臨むように立壁板２８Ａの前面側に設置した例を示している。この水栓金具６Ａは、温冷水や浄水、整水等の各種水栓金具としてもよい。
この水栓金具６Ａへの配管は、上記と略同様の複数本の横桟３１，３１の間の収容空間３２に収容させることができる。
【００４４】
また、本実施形態では、照明器具８を設けずに、立壁板２８Ａの上端部に、後方側に向けて突出するように上端突出片２８ｂを設けている。この上端突出片２８ｂは、立壁板２８Ａの左右方向の全長に亘って一体的に設けられており、天板２０の立上部２５と略同厚さとされている。
また、本実施形態では、補強板３０Ａを、上下に複数枚に分割されたものとしている。このような構成とすることで、補強板３０Ａの取扱性等を向上させることができる。図例では、下側の補強板３０Ａを、その下端面を各収納家具本体１０，１０Ａ，１０Ｂの上面（側板１１の上端面）に当接させ、天板２０の立上部２５と立壁板２８Ａとの接合部２９に跨るように、これらの後面に固定した例を示している。また、上側の補強板３０Ａを、その下端面を下側の補強板３０Ａの上端面に当接させ、その上端面を立壁板２８Ａの上端突出片２８ｂの下面に当接させ、立壁板２８Ａの後面に固定した例を示している。
【００４５】
また、本実施形態では、横板体３７Ａの前端部を立壁板２８Ａの前面から突出させずに、立壁板２８Ａの上端突出片２８ｂの上面後側部位に載置するように配設した例を示している。
上記構成とされた本実施形態に係る厨房家具装置１Ａ及び収納家具後端の立壁構造においても上記第１実施形態と概ね同様の効果を奏する。
なお、上記各実施形態において説明した厨房家具装置１，１Ａの互いに異なる構成を、適宜、組み替えたり、組み合わせたりして、適用するようにしてもよい。この場合、各構成を適宜、必要に応じて変形するようにしてもよい。
【００４６】
また、上記各実施形態では、複数の収納家具本体１０，１０Ａ，１０Ｂと、これらの上部に配設される一枚の天板２０と、を備えた厨房家具装置１（１Ａ）を例示しているが、このような態様に限られない。例えば、単一の収納家具本体と、その上部に配設される一枚の天板２０と、を備えた厨房家具装置１（１Ａ）としてもよい。
また、上記各実施形態では、天板２０の立上部２５及び立壁板２８（２８Ａ）の後面の略全面に亘って補強板３０（３０Ａ）を固定した例を示しているが、このような態様に限られない。例えば、天板２０の立上部２５と立壁板２８（２８Ａ）との接合部２９を少なくとも覆うように、これらの後面に略帯板状とされた補強板を固定した態様としてもよい。
【００４７】
また、上記各実施形態では、立壁板２８（２８Ａ）の前面側に配設される設備器具７，８（６Ａ）を備えた厨房家具装置１（１Ａ）を例示しているが、このような立壁板２８（２８Ａ）の前面側に配設される設備器具７，８（６Ａ）を設けないようにしてもよい。また、設備器具への配線及び配管の両方または一方の収容空間３２を形成するように、補強板３０（３０Ａ）の後面に固定される複数本の桟材３１，３１を備えた厨房家具装置１（１Ａ）を例示しているが、このような桟材３１，３１を設けないようにしてもよい。
【００４８】
また、上記各実施形態では、収納家具本体１０，１０Ａ，１０Ｂと、天板２０と、立壁板２８と、補強板３０（３０Ａ）と、を備えた厨房家具装置１（１Ａ）の収納家具後端の立壁構造を例示したが、このような態様に限られない。上記各実施形態に係る収納家具後端の立壁構造は、収納家具本体１０，１０Ａ，１０Ｂ、天板２０、立壁板２８及び補強板３０（３０Ａ）のうちの少なくとも一つ（例えば、補強板３０（３０Ａ））が、組付現場等において調達されて構成されるものとしてもよい。
また、上記各実施形態では、収納家具装置として、厨房家具装置１（１Ａ）を例示したが、洗面台家具装置としてもよく、その他、種々の収納家具装置としてもよい。
【符号の説明】
【００４９】
１，１Ａ      厨房家具装置（収納家具装置）
２            水槽
６Ａ          水栓金具（設備器具）
７            差込接続器（設備器具）
８            照明器具（電気機器、設備器具）
１０          流し台部本体（収納家具本体）
１０Ａ        コンロ部本体（収納家具本体）
１０Ｂ        作業台部本体（収納家具本体）
２０          天板
２５          立上部
２５ａ        上端面
２８，２８Ａ  立壁板
２８ａ        下端面
２９          接合部
３０，３０Ａ  補強板
３１          横桟（桟材）
３２          収容空間
【図１】
2014054412.tif 000003
【図２】
2014054412.tif 000004
【図３】
2014054412.tif 000005
【図４】
2014054412.tif 000006